(57)【特許請求の範囲】
【請求項１】
壁を斜めに貫通する設置穴に挿通される鞘管ガイドであって、前記壁の厚みより長い円筒状をなし、一端部に前記壁の一面に引掛るフランジ部を有し、かつ、前記壁の他面から斜めに突出して配置される他端部外周にねじ部を有していて、前記壁を途切れることなく貫通する鞘管が通される前記鞘管ガイドと、
この鞘管ガイドの前記他端部の外周に少なくとも軸方向に摺動可能に嵌合して設けられるとともに、前記壁の他面に沿うリング形の壁押さえ面を有して前記フランジ部との間に前記壁を挟む壁押さえと、
中央部に鞘管通孔を有し、前記鞘管ガイドの前記ねじ部が設けられた側の端面を覆って前記ねじ部に螺合され、前記壁押さえを前記壁に押付けた状態に保持する締付けナットと、
この締付けナットと前記鞘管ガイドの前記端面との間に挟着され、前記締付けナットの締付けにより弾性変形して前記鞘管の外周面に密着されるＯリングと、
を具備した壁貫通配管の壁通し具。
【請求項２】
前記鞘管ガイドの外周面と前記壁押さえの内周面とに、夫々軸方向に延びて互いに凹凸嵌合される凹部又は凸部を設けて、前記鞘管ガイドに対して前記壁押さえを回り止めしたことを特徴とする請求項１に記載の壁貫通配管の壁通し具。
【請求項３】
請求項１又は２に記載の壁通し具を使用し、その鞘管ガイドを壁に対して斜めとなる姿勢にして、この鞘管ガイドの少なくとも一部を、前記壁を斜めに貫通する設置穴に配置し、斜めの前記鞘管ガイドにその傾き方向に鞘管を通してこの鞘管を前記壁に対して途切れることなく斜めに貫通させるとともに、この斜めの鞘管内に前記壁を貫通する配管を通して案内し、この配管を曲げることなく配設したことを特徴とする壁貫通配管の壁貫通構造。
【請求項４】
斜めの前記設置穴を、屋外と屋内とを仕切る前記壁の屋外側に向けて下がるように傾斜して設けるとともに、前記壁通し具の壁押さえ及び締付けナットを屋外側に配設したことを特徴とする請求項３に記載の壁貫通配管の壁貫通構造。
【請求項５】
前記壁の外面と前記壁押さえの壁押さえ面との間に止水手段を設けたことを特徴とする請求項４に記載の壁貫通配管の壁貫通構造。
【発明の詳細な説明】
【技術分野】
【０００１】
本発明は、例えば一戸建住宅等の屋外に設置される給湯器等の屋外機器から延びる送液用の配管等を、屋外と屋内とを仕切る外壁等を貫通して配設するための壁貫通配管の壁貫通構造及び壁貫通配管の壁通し具に関する。
【背景技術】
【０００２】
従来、住宅の屋外に設置される給湯器に接続される配管を屋内へ引き込む技術が知られている（例えば特許文献１参照。）。
【０００３】
この従来技術は、壁に通孔（設置穴）を設け、この通孔に屋外側から固定具を取付け、鞘管と、この鞘管の中に通される配管とからなる給湯管の一端を室内側の分配器（ヘッダー）に取付け、配管のみを固定具に通して屋外側の給湯器に取付けるものである。
【０００４】
この際、壁に固定具を取付け、分配器（ヘッダー）から固定具までは配管と鞘管とからなる給湯管を配設し、固定具の位置で鞘管を切断し、この切断された端部を固定具に当接させ、固定具の屋外側に斜め上向きに突出する止水部材に配管を通すことによって、この配管のみを壁に貫通させ、この配管の中間部を固定具に固定しており、屋外側に引き出された配管は給湯器に取付けられている。
【特許文献１】特開平９−１０５４８２号公報（図３）
【発明の開示】
【発明が解決しようとする課題】
【０００５】
前記従来技術は壁に対して配管を斜めに貫通させるので、この配管を壁の内外面に沿わす場合に配管への負荷が少なく、且つ、屋外側から配管を挿脱して更新できる点で優れている。
【０００６】
しかし、壁に対して屋外側に突出する斜状の止水部材とこれとは別の鞘管とは結合されていないので、これら止水部材と鞘管とに配管を通すときに鞘管又は止水部材の端部に配管の先端が当たって通しづらいと共に、屋外側から配管を通すときに鞘管が配管によって押し動かされ易いので、配管を通す作業性がよくないという問題がある。
【０００７】
本発明が解決しようとする課題は、壁に鞘管を無理に曲げることなく貫通させて壁に沿わせて配設できると共に、この鞘管内に通される配管も無理に曲げることなく配設でき、しかも、壁の厚み変化に対応できる壁貫通配管の壁貫通構造及び壁貫通配管の壁通し具を得ることにある。
【課題を解決するための手段】
【０００８】
請求項１の発明に係る壁貫通配管の壁通し具は、壁を斜めに貫通する設置穴に挿通される鞘管ガイドであって、前記壁の厚みより長い円筒状をなし、一端部に前記壁の一面に引掛るフランジ部を有し、かつ、前記壁の他面から斜めに突出して配置される他端部外周にねじ部を有していて、前記壁を途切れることなく貫通する鞘管が通される前記鞘管ガイドと、この鞘管ガイドの前記他端部の外周に少なくとも軸方向に摺動可能に嵌合して設けられるとともに、前記壁の他面に沿うリング形の壁押さえ面を有して前記フランジ部との間に前記壁を挟む壁押さえと、中央部に鞘管通孔を有し、前記鞘管ガイドの前記ねじ部が設けられた側の端面を覆って前記ねじ部に螺合され、前記壁押さえを前記壁に押付けた状態に保持する締付けナットと、この締付けナットと前記鞘管ガイドの前記端面との間に挟着され、前記締付けナットの締付けにより弾性変形して前記鞘管の外周面に密着されるＯリングと、を具備したものである。
【０００９】
この請求項１の発明に係る壁貫通配管の壁通し具を壁に設置するには、まず、壁を斜めに貫通した設置穴に対して壁の一面側又は他面側から、壁押さえが嵌合される側の端部を先頭にして鞘管ガイドをそのフランジ部が壁に当接するまで挿通することにより、このガイドを壁に対して斜めに貫通させる。次に、壁より斜めに突出した鞘管ガイドの前記端部の外周に壁押さえを嵌合させる。最後に、鞘管ガイドの前記端部が有したねじ部に締付けナットを螺合して締付け操作することにより、壁押さえを鞘管ガイドの軸方向に沿って壁側に移動させて壁に押付けた状態に保持する。それにより、フランジ部と壁押さえとの間に壁を挟んだ状態で壁通し具を壁に対して斜めに設置できる。この場合、壁を挟む込み力を与える締付けナットは壁に対して進退可能であるから、壁の厚み変化に対応して壁通し具を設置できる。
【００１０】
したがって、この後には、壁を斜めに貫通した鞘管ガイドに対して前記一面側又は他面側から鞘管を通して、この鞘管を壁に対して斜めに貫通させた後、この鞘管内に配管を挿入することにより、鞘管内を通して所定の場所に配管を導いて配設できる。このように請求項１の発明に係る壁貫通配管の壁通し具においては、壁に設けた斜めの設置穴を貫通する円筒状の鞘管ガイドを備えているから、このガイドに鞘管を通すことにより、鞘管を、無理に曲げることなく壁に斜めに貫通させて壁に沿って配設できる。したがって、例えば、外壁裏の狭い壁裏空間の内部にも無理なく鞘管を配設できると共に、この鞘管の内部に通して案内させる配管も無理に曲げることなく屋内等へと配設できる。そして、締付けナットの締付けにより、このナットで覆われた鞘管ガイドの端面との間に配置されたＯリングが弾性変形されて鞘管の外周面に密着するため、鞘管ガイドと鞘管との間の止水ができる。
【００１１】
又、請求項１の発明においては、請求項２の発明のように前記鞘管ガイドの外周面と前記壁押さえの内周面とに、夫々軸方向に延びて互いに凹凸嵌合される凹部又は凸部を設けて、前記鞘管ガイドに対して前記壁押さえを回り止めすることが好ましい。この請求項２の発明によれば、締付けナットによる固定操作に伴って壁押さえが回ることを防止して施工性を向上できる利点がある。
【００１２】
請求項３の発明に係る壁貫通配管の壁貫通構造は、請求項１又は２に記載の壁通し具を使用し、その鞘管ガイドを壁に対して斜めとなる姿勢にして、この鞘管ガイドの少なくとも一部を、前記壁を斜めに貫通する設置穴に配置し、斜めの前記鞘管ガイドにその傾き方向に鞘管を通してこの鞘管を前記壁に対して途切れることなく斜めに貫通させるとともに、この斜めの鞘管内に前記壁を貫通する配管を通して案内し、この配管を曲げることなく配設している。
【００１３】
この請求項３の発明は、請求項１又は２に記載の壁通し具を使用して、壁に設けた斜めの設置穴を配置した筒状の鞘管ガイドに鞘管を通すことにより、鞘管を、無理に曲げることなく壁に斜めに貫通させて壁に沿って配設できる。したがって、例えば、外壁裏の狭い壁裏空間の内部にも無理なく鞘管を配設できると共に、この鞘管の内部に通して案内させる配管も無理に曲げることなく屋内等へと配設できる。このように配管を配設できるので、この配管が送液管であって、そこから液漏れを生じた場合、漏れた液体を、壁を斜めに貫通した鞘管を通して屋外等に導出できる。
【００１４】
請求項４の発明に係る壁貫通配管の壁貫通構造は、斜めの前記設置穴を、屋外と屋内とを仕切る前記壁の屋外側に向けて下がるように傾斜して設けるとともに、前記壁通し具の壁押さえ及び締付けナットを屋外側に配設している。
【００１５】
この請求項４の発明では、設置穴の屋外側部位が屋内側部位より下方に位置するので、雨水が屋内に侵入することを防止できる利点がある。
【００１６】
請求項５の発明に係る壁貫通配管の壁貫通構造は、前記壁の外面と前記壁押さえの壁押さえ面との間に止水手段を設けている。この請求項５の発明では、止水手段によって設置穴と鞘管ガイドとの間の止水ができる。
【発明の効果】
【００１７】
請求項１，２に記載の発明に係る壁貫通配管の壁通し具によれば、締付けナットを介して壁押さえとともに壁に固定される斜めの鞘管ガイドを壁に斜めに設けた設置穴に貫通させて、このガイドに鞘管を通してこの鞘管を壁に対して斜めに貫通させることができ、それにより内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。しかも、壁を挟む込み力を与える締付けナットは壁に対して進退可能であるから、壁の厚み変化に対応して壁通し具を設置できる。
【００１８】
請求項３に記載の発明に係る壁貫通配管の壁通し構造によれば、請求項１又は２に記載の壁通し具を使用して、壁に設けた斜めの設置穴を配置した筒状の鞘管ガイドに鞘管を通すことにより、この鞘管を壁に対して斜めに貫通させて、鞘管の内部に配管が通される鞘管を無理に曲げることなく壁に沿わせて配設できるので、例えば狭い壁裏空間の内部に鞘管等を配設するのに有利であるとともに、この鞘管内に通される配管も無理に曲げることなく配設できる。しかも、壁を挟む込み力を与える締付けナットは壁に対して進退可能であるから、壁の厚み変化に対応して壁通し具を設置できる。更に、配管から漏れた液体を鞘管で導出できるので、屋内への浸水を防止できる。
【００１９】
請求項４の発明に係る壁貫通配管の壁通し構造によれば、屋外と屋内とを仕切る壁を斜めに貫通する鞘管ガイドを通って雨水が侵入しにくい利点がある。
【００２０】
請求項５の発明に係る壁貫通配管の壁通し構造によれば、設置穴と鞘管ガイドとの間の止水ができるという利点がある。
【発明を実施するための最良の形態】
【００２１】
以下、図１〜図４を参照して本発明の参考例に係る壁貫通配管の壁通し具を説明する。
【００２２】
図１は参考例の壁貫通配管の壁通し具１を一戸建の建屋の外壁２の設置穴３に取付けて、配管４及び鞘管５を貫通させた状態を示す断面図である。
【００２３】
図２（ａ）及び（ｂ）に示すように、この壁通し具１は第１壁通し部材６と第２壁通し部材７と連結手段とからなる。
【００２４】
合成樹脂製の第１壁通し部材６は、住宅の壁としての外壁２の厚み方向両面に夫々開放されていると共に上下方向に長い小判形をなして設けられた設置穴３に、屋外側から嵌め込む第１筒部８と、この第１筒部８と一体に形成されて外側に張り出し、設置穴３の屋外側縁部と引掛かり合う第１フランジ部１０と、第１筒部８の例えば屋外側端部に一体に形成されて第１筒部８の内側を閉じる閉塞部１２と、この閉塞部１２の下部に一体に形成されて屋内側から屋外側にかけて斜めに貫通する円筒形をなした鞘管ガイド１３とから構成される。なお、前記設置穴３は、外壁２に対して直交する方向に沿って、前記外壁２を貫通している。
【００２５】
鞘管ガイド１３はその屋内側端部が屋外側端部よりも上側に位置するように斜めに設けられ、したがって閉塞部１２の一端部から斜め下向きに突設されている。さらに、鞘管ガイド１３は後述する鞘管５を挿通できるように鞘管５よりやや大径となっている。使用状態において鞘管ガイド１３の屋内側端部は図３に示されるように設置穴３内に位置される。
【００２６】
周方向に連続すると共に例えば閉塞部１２と面一に連続した第１フランジ部１０の外壁２側には、第１壁通し部材６を設置穴３に設置したときに、第１フランジ部１０と外壁２との隙間を埋めて挟み込まれ雨水等の設置穴３への浸入を防止するための止水パッキン１４ａが設けられている。なお、前記隙間をコーキング処理する場合には止水パッキン１４ａは省略できる。
【００２７】
閉塞部１２には、この第１壁通し部材６と後述の第２壁通し部材７とを連結するための連結手段としてのねじ１５をねじ込むためのねじ通孔１６が第１筒部８の内側に貫通して設けられている。
【００２８】
合成樹脂製の第２壁通し部材７は、外壁２に設けられた設置穴３に、屋内側から嵌め込む第２筒部１７と、この第２筒部１７と一体に形成されて外側に張り出し、設置穴３の屋内側縁部と引掛かり合う第２フランジ部１９とからなる。周方向に連続する第２フランジ部１９の外壁２側には、第２壁通し部材７を設置穴３に設置したときに、第２フランジ部１９と外壁２との隙間を埋めて挟み込まれる止水パッキン１４ｂが設けられている。この止水パッキン１４ｂは省略してもよい。又、第２筒部１７の屋外側端部の内側には、連結手段としてのねじ１５を受け止めるためのねじ孔を有した螺合部２１が第１壁通し部材６のねじ通孔１６と対向する位置に設けられている。
【００２９】
壁通し具１が設置穴３に嵌め込まれるなどして取り付けられた際に、住宅の鉛直方向に沿う第１筒部８及び第２筒部１７の幅Ｄは、鞘管５の外径ｄの約２から３倍以上の寸法に形成されている。このように、第１筒部８及び第２筒部１７の幅Ｄは、鞘管５の外径ｄより十分大きく形成されている。
【００３０】
前記壁通し具１の具体的な寸法例を挙げると、呼び径が直径１３ｍｍの配管４を呼び径が直径２８ｍｍの鞘管５に通して、厚さ７５ｍｍの外壁２を貫通させる場合、外壁２を通る配管４及び鞘管５の外壁２に対する挿入角度が４５°となるように鞘管ガイド１３を閉塞部１２に対して設ける。又、このとき、設置穴３の口径の最も長い方向は長さ１５０ｍｍ以上が望ましい。又、図３に示すように、鞘管ガイド１３は鞘管５が貫通する際に接触する方向にのみ開口部があれば良く、正面から見て開口部は楕円形状でも構わない。この場合、配設に必要な壁裏空間２４は幅７０ｍｍ以上とする。
【００３１】
次に、外壁２への壁貫通配管の壁通し具１の取付け作業を説明する。
【００３２】
外壁２には予め前記第１、第２筒部８、１７の大きさに合わせた設置穴３が、屋外側と屋内側とを連通して外壁２に対して直交する方向に沿って貫通して開けられている。まず、第１壁通し部材６を取付ける。第１壁通し部材６の第１筒部８を設置穴３の屋外側から屋内側へ向かって、第１フランジ部１０が設置穴３の屋外側縁部に引掛かって止まるまで嵌め込む。このとき、第１フランジ部１０と外壁２の屋外側との隙間は、第１フランジ部１０の壁側に設けられた止水パッキン１４ａによって隙間無く塞がれる。
【００３３】
次に、第２壁通し部材７を取付ける。第１壁通し部材６とは反対に、第２壁通し部材７の第２筒部１７を設置穴３の屋内側から屋外側へ向かって、第２フランジ部１９が設置穴３の屋内側縁部に引掛かって止まるまで嵌め込む。それにより、設置穴３内で第１筒部８の屋内側端部と第２筒部１７の屋外側端部とが接近する。このとき、前述の第１壁通し部材６の場合と同様に、第２フランジ部１９と外壁２の屋内側との隙間は、第２フランジ部１９の壁側に設けられた止水パッキン１４ｂによって隙間無く塞がれる。
【００３４】
この後、第１壁通し部材６の閉塞部１２のねじ通孔１６を通して、屋外側からねじ１５を第２壁通し部材７の螺合部２１にねじ込むことで、第１壁通し部材６と第２壁通し部材７とを連結すると共に、止水パッキン１４ａ、１４ｂが外壁２の内外両壁面に夫々圧接される。以上で外壁２の設置穴３への壁貫通配管の壁通し具１の取付けが終了する。
【００３５】
この参考例の壁貫通配管の壁通し具１は第１壁通し部材６と第２壁通し部材７とをねじ１５により連結しているだけなので、将来この壁貫通配管の壁通し具１を取り外す必要が生じたときには、ねじ１５を緩めて外すだけで、外壁２の設置穴３からこの壁貫通配管の壁通し具１を取り外すことができる。
【００３６】
次に、例えば給湯又は給水のための送液用の配管４及び鞘管５を、前述のようにして外壁２の設置穴３に取付けた壁貫通配管の壁通し具１に通す配設作業を説明する。配管４は架橋ポリエチレン管であって可撓性を有し、この配管４が通される鞘管５は配管４よりも硬質な合成樹脂製ではあるが、可撓性に優れた波付け管が採用されている。
【００３７】
鞘管５は、例えば屋外から屋内へと通される。すなわち、鞘管５の一端を第１壁通し部材６の鞘管ガイド１３に屋外側から斜め上向きに通していく。図３及び図４（ａ）、（ｂ）に示されるように、鞘管ガイド１３はこの屋内側端部が屋外側端部よりも上側に在るように閉塞部１２を斜めに貫通して設けられているため、鞘管ガイド１３を通して屋外から屋内へと通された鞘管５は、壁通し具１をその第２壁通し部材１６に引掛かることなく斜め上向きに通り抜けて外壁２の屋内側壁面に沿って上方へと押し込まれるから、図１に示されるように、外壁２と部屋の内装板２３とによって作られる幅の狭い壁裏空間２４や、部屋の天井２５の上の屋根裏空間２６にも無理に折り曲げられて座屈変形を起こすことなく配設できる。配設し終わった鞘管５は、外壁２等に適当な間隔に取付けられるＵ字形をなしたサドル２７等を用いてずれ落ちないように固定される。
【００３８】
次に、壁通し具１を斜めに貫通して鞘管ガイド１３に中間部が支持された鞘管５に対して、屋外より配管４を斜め上向きに挿入することによって、この配管４を鞘管５に沿わせて配設する。鞘管５は無理に折り曲げられることなく既に必要とされる所定の位置まで配設されているので、配管４は、無理に折り曲げられて座屈変形を起こすことなく鞘管５の内部を通って所定の位置まで案内される。鞘管５の配設及び固定作業の終了後に、図３に示すように、鞘管ガイド１３の屋外側の開口部において、コーキング材２８による止水処理を施して鞘管５と開口部との隙間を塞ぐ。この止水処理によって、鞘管ガイド１３を通して屋外から屋内へ雨水等が浸入するおそれを極めて低くできる。なお、コーキング処理に代えて鞘管ガイド１３と鞘管５との間にＯリングを挟んでもよく、又、これら両止水処理を兼用してもよい。
【００３９】
又、屋外側の鞘管５の他端は外壁２の屋外側に設置されたシステムアジャスタ支え２９によって支持されたシステムアジャスタ３０に接続される。配管４が通るシステムアジャスタ３０は伸縮自在の蛇腹部３１を有しており、鞘管５の屋外に露出している部分の長さに適合した高さに伸び縮みできる。又、システムアジャスタ３０の下端を受けるピン付オスアダプタ３３には継手３２を介して配管４が接続されている。このアダプタ３３は屋外に設置された給湯器３４に連結されていて、給湯器３４の温水等が導かれる。
【００４０】
以上、説明した壁貫通配管の壁通し具１を用いた配管４及び鞘管５の配設作業によれば、外壁２に対して斜めに設けられた鞘管ガイド１３に鞘管５を通すことで、外壁２の壁面に沿うように鞘管５を屋内へと配設する。第１筒部８及び第２筒部１７の鉛直方向に沿った幅Ｄが、鞘管５の外径ｄより十分大きく形成されているので、鞘管５が無理に折り曲げられて座屈変形を起さない十分に広い空間Ｓを、第１筒部８及び第２筒部１７内に確保できる。また、外壁２に対して斜めに設けられた鞘管ガイド１３に鞘管５を通すことで、外壁２の壁面に沿うように鞘管５を屋内へと配設できる。
【００４１】
したがって、外壁２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【００４２】
又、壁貫通配管の壁通し具１の位置において鞘管５は途切れることなく屋外から屋内へと連続して配設されている。このため、屋内で配管４から水が漏れ出しても鞘管５の内部を伝わって屋外へと排出されるので、屋内への浸水のおそれが低い。しかも、鞘管５及び配管４が外壁２を貫通しており、配管４に対する継手部分は外壁２の屋外側にあるので、漏水し易い継手部分からの漏水があっても屋内への浸水のおそれがない。
【００４３】
又、鞘管ガイド１３はこの屋内側が屋外側よりも上側に位置するように閉塞部１２を斜めに貫通して設けられているので、雨水等が斜め下向きの鞘管ガイド１３を通って屋外から屋内へと浸入するおそれが殆どない。加えて、この鞘管ガイド１３の屋外側の開口部にコーキング材２８等による止水処理を施して鞘管５と開口部との隙間を塞いだので、より一層のこと浸水のおそれがない。
【００４４】
又、第１、第２フランジ部１０、１９及びそれらに夫々設けられた止水パッキン１４ａ、１４ｂによって、外壁２の両側から設置穴３を隙間なく挟み込むサンドイッチ構造をとっているので、簡単に止水処理ができると共に、設置穴３と壁通し具１との間の埋め戻し作業等の閉栓処理も不要にでき、施工性がよい。
【００４５】
又、設置穴３への壁通し具１の取付け作業と、屋内における配管４及び鞘管５の配設作業の順序はどちらが先でも構わない。又、プレハブ住宅の場合には壁通し具１を外壁２に予め取付けておくことができるから、その場合には建築現場での壁通し具１の取付けが不要であり、容易に配設作業を行うことができる。
【００４６】
又、壁通し具１は正面から見た形状が上下方向に沿って長い小判形となっていて小型であるため、外壁２に設けられた設置穴３も正面から見た形状を同様の小判形とできるので、大きな円形の穴を外壁２に設ける必要がなく、設置穴３を設けることによる外壁２の強度の低下を抑制できる。
【００４７】
次に、図５を参照して本発明の一実施の形態に係る壁貫通配管の壁通し具５１を説明する。なお、以下説明する壁通し具５１及び壁の設置穴５３以外は、図５に示されない部分を含めて前記一実施の形態と同じであるから、鞘管及び配管等の同一部分についての説明は、一実施の形態と同じ符号を付してその説明を省略し、異なる部分についてのみ説明する。
【００４８】
この一実施の形態に係る壁通し具５１が設置される住宅の壁、本実施形態の場合にはプレハブ工法により作られる住宅の外装パネル（外壁）５２の所定位置には、斜めに貫通する断面円形の設置穴５３が開けられている。この穴５３は屋内側から屋外側に行くにしたがって次第に下がるように傾斜している。壁通し具５１は、鞘管ガイド５４と、壁押さえ５５と、固定手段としての締付けナット５６とを具備している。
【００４９】
金属又は硬質合成樹脂製の鞘管ガイド５４は、外装パネル５２の厚みよりも長い円筒状をなしており、その一端部外周には周方向に連続するフランジ部６１が設けられ、他端部外周にはねじ部６２が設けられている。フランジ部６１は鞘管ガイド５４の軸線に対して交差する方向に沿って外側に張り出して設けられている。この鞘管ガイド５４は、そのねじ部６２が設けられた端部を先頭にして、例えば外装パネル５２の内側から設置穴５３に通して斜めに設けられ、それによって、フランジ部６１が外装パネル５５の内面、詳しくは設置穴５３の室内側の穴縁に引掛るようになっている。
【００５０】
金属又は硬質合成樹脂製の壁押さえ５５は、外装パネル５２の外面から斜めに突出した部分の外周に摺動可能に嵌合して設けられている。この壁押さえ５５は鞘管ガイド５４の軸方向に少なくとも摺動可能であればよい。例えば、鞘管ガイド５４の外周面と壁押さえ５５との内周面とに夫々軸方向に延びる１以上の凹部又は凸部を設けて、これらを互いの延び方向、つまり、前記軸方向に沿って摺動可能に凹凸嵌合させて、鞘管ガイド５４に対して壁押さえ５５を回り止めしてもよく、このようにする場合には後述の固定操作に伴って壁押さえ５５が回ることを防止して施工性をより向上できる点で優れる。
【００５１】
壁押さえ５５は外装パネル５２の壁面に沿う斜めの壁押さえ面５５ａを有している。この面５５aは正面から見た場合にリング形をなしており、そこには同形状の止水パッキン６３が接着されている。このパッキン６３は、設置穴５３と鞘管ガイド５４との間の止水手段として用いられるものであるが、前記の例に代えて外装パネル５２の外面に接着してもよく、或いは、壁押さえ面５５ａ及び外装パネル５２の外面のいずれにも接着することなく、これらの間に挟んで設けてもよい。なお、止水パッキン６３に代えてコーキング材を壁押さえ面５５ａと外装パネル５２の外面とにわたってコーキング処理を行なってもよい。
【００５２】
金属又は硬質合成樹脂製の締付けナット５６は、中央部に鞘管通孔５６ａを有していて、前記ねじ部６２にねじ込んで取外し可能に螺着されている。このナット５６の周部端面は壁押さえ５５の前記面５５ａとは反対側の端面に当接されている。したがって、締付けナット５６は鞘管ガイド５４と壁押さえ５５とにわたって設けられており、このナット５６の締付けにより、壁押さえ５５を外装パネル５２の外面に向けて移動させ、かつ、押付け保持できるようになっている。
【００５３】
又、図５中符号６４は鞘管ガイド５４のねじ部６２を設けた側の端面と締付けナット５６との間に挟んで設けられたＯリングであり、締付けナット５６の締付けにより弾性変形して鞘管５の外周面に密着し、鞘管通孔５６a部分での止水を行なうために使用されている。
【００５４】
なお、前記構成の壁貫通配管の壁通し具５１の具体的な寸法例を挙げると、呼び径１３ｍｍの配管４を呼び径２８ｍｍの鞘管５とともに、７５ｍｍの厚みの外装パネル５２に斜めに貫通させる場合、設置穴５３の壁貫通角度θは４５°とし、設置穴５３の穴径は４５ｍｍ程度とすることが、設置穴５３による外装パネル５２の強度低下を小さくする上で望ましい。又、以上説明した点以外の構成は前記参考例と同じである。
【００５５】
次に、前記構成の壁貫通配管の壁通し具５１を用いた配管４及び鞘管５の配設作業を説明する。まず、外装パネル５２に壁通し具５１を設置する手順を説明する。
【００５６】
鞘管ガイド５４をその壁押さえ５５が嵌合される側の端部を先頭にして、外装パネル５２をその内壁面側から外壁面側に向けて斜めに下がるように貫通した設置穴５３に前記内壁面側から挿通する。この挿通はフランジ部６１が前記内壁面において設置穴５３の穴縁に引掛るまで行われ、それにより、鞘管ガイド５４が設置穴５３を斜めに貫通してそのねじ部６２を有した端部が、外装パネル５２の外壁面から斜め下向きに突出する。次に、斜め下向きに突出した鞘管ガイド５４の前記端部の外周に壁押さえ５５を、その止水パッキン６３全体が外装パネル５２の外面に接するように嵌合させる。最後に、鞘管ガイド５４のねじ部６２に固定手段としての締付けナット５６を螺合して、これを回動操作し締付けることにより、鞘管ガイド５４と壁押さえ５５とにわたって締付けナット５６を設ける。
【００５７】
このナット５６の締付けにより、壁押さえ５５を鞘管ガイド５４の軸方向に沿って外装パネル５２の外壁面に押付けて保持する。それにより、フランジ部６１と壁押さえ５５との間に外装パネル５２を挟んだ状態で外装パネル５２を斜めに貫通して壁通し具５１が設置される。この設置と同時に、外装パネル５２の外面と壁押さえ５５との間に配置された止水パッキン６３が圧縮状態となって、設置穴５３と鞘管ガイド５４との間への浸水を阻止できる。
【００５８】
前記設置作業において、外装パネル５２の外壁面から斜め下向きに突出された鞘管ガイド５４の端部に対してこれに嵌合された壁押さえ５５は軸方向に摺動可能であり、かつ、壁押さえ５５は締付けナット５６の締付けにより外装パネル５２へ移動されるものであるから、壁押さえ５５の軸方向移動によりこれとフランジ部６１との間の距離を調節して壁通し具５１を設置できる。すなわち、本実施形態に係る壁通し具５１は厚みの異なる種々の外装パネル７２への設置に容易に適合できる。
【００５９】
この後には、外装パネル５２を斜めに貫通した鞘管ガイド５４及び締付けナット５６の鞘管通孔５６ａに外装パネル５２の例えば外壁面側から鞘管５を通して、この鞘管５の中間部を外装パネル５２に対して斜めに貫通させた後、この鞘管５内に外装パネル５２の外壁面側から配管４を挿入することにより、鞘管５内を通して所定の場所に配管４を導いて配設する。この設置状態において、鞘管ガイド５４と鞘管５との間の止水を行なう場合には、一旦、締付けナット５６を取外してその内側にＯリング６４を配置させた状態で、再び締付けナット５６を締付ければよい。それにより、Ｏリング６４が締付けナット５６と鞘管ガイド５４の端面との間に挟着されるに伴って弾性変形されて、このＯリング６４が鞘管５の外周面に密着して、鞘管ガイド５４と鞘管５との間の止水が行われる。
【００６０】
なお、以上の点以外の接続作業等は前記参考例と同じである。又、プレハブ住宅の外装パネル５２に対してはその生産段階で予め壁通し具５１を装着して置くことができるので、このようにして建築現場に供給する場合には、建築現場では壁通し具５１を外装パネル５２に設置する作業を要することがなくなり、したがって、建築現場での鞘管５及び配管４の配設作業を速やかに開始することができる。
【００６１】
以上説明した壁貫通配管の壁通し具５１を用いた配管４及び鞘管５の配設作業によれば、外装パネル５２を斜めに貫通して設けられた鞘管ガイド５４に鞘管５を通すことで、外装パネル５２の内壁面に沿うように鞘管５を屋内へと配設でき、外装パネル５２の屋内側の狭い壁裏空間内においても鞘管５を無理に折り曲げて座屈変形を起こさせることがない。このため、鞘管５の内部に通して屋外から屋内へと配設する配管４も無理に折り曲げて座屈変形を起こさせることなく、容易に配設できる。さらに、屋外側より配管４を斜め下方に引っ張ることにより、挿入時と同様に鞘管５をガイドとして少ない抵抗で容易に配管４を引き出せるので、こうした配管４の出し入れ操作によって、将来において配管４が老朽化した場合の配管４の更新作業も簡単に行うことができる。
【００６２】
しかも、前記壁通し具５１の採用により、鞘管５を外装パネル５２の位置において途切れることなく屋外から屋内へと連続して配設できるため、屋内で配管４から水が漏れ出しても鞘管５の内部を伝わって屋外へと排出され、屋内への浸水のおそれが低いとともに、外装パネル５２を貫通した配管４に対する継手部分は外装パネル５２の屋外側にあるので、漏水し易い前記継手部分からの漏水があっても屋内へ浸入するおそれがない。
【００６３】
又、鞘管ガイド５４は屋外側に向けて斜めに下がるように傾斜して外装パネル５２を貫通して設けられているので、雨水等が斜めの鞘管ガイド５４を通って屋外から屋内へと浸入するおそれが殆どない。加えて、この鞘管ガイド５４の屋外側の開口部にＯリング６４等による止水処理を施したので、より一層のこと浸水のおそれがない。
【００６４】
更に、この壁通し具５１は、鞘管ガイド５４のフランジ部６１と壁押さえ５５とで、外装パネル５２を厚み方向から挟み込むサンドイッチ構造をとっているので、止水パッキン６３を用いて簡単に止水処理ができると共に、設置穴５３と壁通し具５１との間の埋め戻し作業等の閉栓処理も不要にでき、施工性がよい。その上、前記サンドイッチ構造において外装パネル５２を挟み込む力を与える締付けナット５６は外装パネル５２に対して進退可能であるから、外装パネル５２の厚み変化に対応して壁通し具５１を取付けて用いることができる。又、前記サンドイッチ構造により、鞘管ガイド５４に新規に配管４を通すときは勿論のこと、老朽化した配管４を新品の配管と交換するときにおいても、配管４や鞘管５を鞘管ガイド５４に通す際等に加わる操作力を、配管等を押し込んだり、引き出したりする操作方向の上流側において外装パネル５２に引掛かっているフランジ部６１又は壁押さえ５５に波及させて外装パネル５２で分散して支持できる。よって、壁通し具５１が外装パネル５２から不用意に外れたり、外装パネル５２とこれを挟んだフランジ部６１及び壁押さえ５５との接合が緩むことがなく、したがって、防水性が損なわれるおそれを低くできる。
【００６５】
又、前記構成の壁通し具５１の採用により、大きな円形の穴を外装パネル５２に設ける必要がなく、斜めの設置穴５３を設けることに伴う外装パネル５２の強度の低下を抑制できる。しかも、この一実施形態では、前記サンドイッチ構造の採用とその締付けを行なう固定手段として締付けナット５６を用いたから、外装パネル５２への固定に要する固定部品と手間が少なく、しかも、締付け操作も回動するだけであって容易であるので、外装パネル５２への壁通し具５１の設置作業性がよい。
【００６６】
なお、本発明は前記一実施の形態には制約されない。例えば、配管及び鞘管の配設は、前述のように住宅の外壁を貫通させて屋外から屋内へと引き込むばかりではなく、その逆に屋内から屋外へと引き出しても差し支えない。
【００６７】
又、本発明の壁貫通配管の壁通し具を用いて住宅の外壁を貫通させて屋外と屋内とにわたって配設するものは、給湯器等から延ばされる送液管に限らず、例えば、電話線などの通信系ケーブル、電線などの電力系ケーブル等であってもよい。この場合、鞘管を作る材料もこの内部に通して配設する管や線に合わせて、防電磁波能力に優れたもの等、様々な材料を使い分けることが望ましい。
【図面の簡単な説明】
【００６８】
【図１】本発明の参考例に係る壁貫通配管の壁通し具を外壁に取付けて配設した状態を示す断面図。
【図２】（ａ）は本発明の参考例に係る壁通し具を分解して示す斜視図。  （ｂ）は本発明の参考例に係る壁通し具を組み立てた状態を示す斜視図。
【図３】図１に示した状態の壁貫通配管のＡ部を拡大した断面図。
【図４】（ａ）は鞘管が通された参考例の壁通し具を示す正面図。  （ｂ）は鞘管が通された参考例の壁通し具を示す裏面図。
【図５】本発明の一実施の形態に係る壁貫通配管用の壁通し具の使用状態を示す前記図３相当の断面図。
【符号の説明】
【００６９】
５１…壁貫通配管の壁通し具、
５３…設置穴、
４…配管、
５…鞘管、
５４…鞘管ガイド、
５２…外装パネル（外壁）、
５５…壁押さえ、
５５ａ…壁押さえ面、
５６…締付けナット、
５６ａ…鞘管通孔、
６１…フランジ部、
６２…ねじ部、
６３…止水パッキン（止水手段）、
６４…Ｏリング
【図１】
0004279278.tif 000002
【図２】
0004279278.tif 000003
【図３】
0004279278.tif 000004
【図４】
0004279278.tif 000005
【図５】
0004279278.tif 000006